(57)【要約】【課題】壁から間隔を開けて構築される下屋と壁との間に設けられるエキスパンションジョイントにおいて、簡単な構造で地震発生時のずれを許容しながら、地震が止まった後はずれの吸収を可能にする。【解決手段】壁１０１の外側に固定される壁側雨押え２８１と、下屋２００の屋根上に固定される下屋側雨押え２８５と、を備え、壁側雨押え２８１と下屋側雨押え２８５とが部分的に重ね合わされて、かつ伸縮自在な軟粘性テープ４１で接着されている、エキスパンションジョイント構造。例えば、壁側雨押え２８１は、下方へ延びる垂下部２８４を有し、下屋側雨押え２８５は、上方へ延びる立上がり部２８９を有しており、壁側雨押え２８１の垂下部２８４と下屋側雨押え２８５の立上がり部２８９とが重ね合わされて、かつ伸縮自在な軟粘性テープ４１で接着されている。【選択図】図１
2020094369.tif 000002
【特許請求の範囲】
【請求項１】
壁から間隔を開けて構築される下屋と壁との間に設けられるエキスパンションジョイントの構造であって、
前記壁の外側に固定される壁側雨押えと、
前記下屋の屋根上に固定される下屋側雨押えと、を備え、
前記壁側雨押えと前記下屋側雨押えとが部分的に重ね合わされて、かつ伸縮自在な軟粘性テープで接着されていることを特徴とするエキスパンションジョイント構造。
【請求項２】
請求項１に記載のエキスパンションジョイント構造において、
前記壁側雨押えは、下方へ延びる垂下部を有し、
前記下屋側雨押えは、上方へ延びる立上がり部を有しており、
前記壁側雨押えの前記垂下部と前記下屋側雨押えの前記立上がり部とが重ね合わされて、かつ前記伸縮自在な軟粘性テープで接着されていることを特徴とするエキスパンションジョイント構造。
【請求項３】
請求項１又は２に記載のエキスパンションジョイント構造において、
前記壁側雨押えの内側に前記下屋側雨押えが重ね合わされていることを特徴とするエキスパンションジョイント構造。
【請求項４】
請求項３に記載のエキスパンションジョイント構造において、
前記壁側雨押え及び前記下屋側雨押えの内側面に前記伸縮自在な軟粘性テープが接着されていることを特徴とするエキスパンションジョイント構造。
【請求項５】
請求項２、請求項２を引用する請求項３、又は請求項４のいずれか一項に記載のエキスパンションジョイント構造において、
前記壁側雨押えの前記垂下部の外側に、前記壁の外側に固定された外装材に固定される上部水切りが配置されていることを特徴とするエキスパンションジョイント構造。
【請求項６】
請求項２、請求項２を引用する請求項３から５のいずれか一項に記載のエキスパンションジョイント構造において、
前記下屋側雨押えは、前記下屋の屋根上に固定される下屋側固定部を有し、
前記下屋側固定部の端部上に端部かぶせが固定されて、
前記端部かぶせの上に、前記壁の外側に固定された外装材に固定される端部カバーが配置されていることを特徴とするエキスパンションジョイント構造。
【発明の詳細な説明】
【技術分野】
【０００１】
本発明は、壁から間隔を開けて構築される下屋と壁との間に設けられるエキスパンションジョイントの構造に関する。
【背景技術】
【０００２】
間隔をおいて設けられた建物の入隅部において、一方の建物の躯体と他方の建物の躯体との間隙をカバー材によって覆設したエキスパンションジョイントが特許文献１に提案される。このエキスパンションジョイントは、一方の建物の躯体と他方の建物の躯体とにそれぞれ支持部材を固定し、これらの建物間の間隙を覆うカバー材の一側を一方の躯体の支持部材に支持させ、カバー材の他側を他方の躯体の支持部材に摺動自在に係合させるとともに、その他方の躯体の支持部材にカバー材が離脱するのを防止する押え部材を設けて構成される。
【０００３】
また、既設の家屋本体部の外壁と、その外壁と間隔を隔てる屋根を有して建て増しされる増築部の屋根との間において、その間隔を雨仕舞して閉じる連結金物が特許文献２に提案される。この連結金物は、家屋本体と増築部の屋根との間の少なくとも近離方向の変動をスライドによって吸収するずれ吸収部を備え、増築部の屋根葺き材押え板に固定される第１の連結カバーと、家屋本体部の外壁に固定される第２の連結カバーとからなる。第２の連結カバーは、家屋本体部の外壁に固定される第２の固定片と、この第２の固定片に連なりかつ外壁との間隔を横切るとともに屋根葺き材押え板を軒先側に越えて屋根に沿ってのびる第２の基片と、その前端でこの第２の基片とは空隙を隔てて下方に折り返す第２の折返し片とを備える。第１の連結カバーは、屋根葺き材押え板に固定される第１の固定片と、この第１の固定片に連なりかつ第２の連結カバーの第２の基片との空隙内にスライド可能に挿入されることによりずれ吸収部を形成する第１の基片とを備える。
【０００４】
なお、壁体に取り付けられる下屋において、壁体側の透水性防水シートと下屋側の屋根耐水シートとが重ねられる部分に配置される雨押え等による防水処理部が特許文献３に提案される。この防水処理部において、雨押えの上部は、壁体の外面側で前後に重ねられた状態の屋根耐水シート及び透湿性防水シートとの間に配置されており、内側に配置された屋根耐水シートの外側に雨押えが配置され、雨押えの外側に透湿性防水シートの下部が重ねられる。そして、透湿性防水シートの下側縁部が、防水テープにより雨押えの外面に接合される。防水テープは、耐水性及び防水性を有して、片面に接着層が形成され、接着テープとして使用できるものである。
【先行技術文献】
【特許文献】
【０００５】
【特許文献１】実開昭６２−１８７００３号公報
【特許文献２】特許第３６７６７４３号公報
【特許文献３】特開２０００−２０４７３０号公報
【発明の概要】
【発明が解決しようとする課題】
【０００６】
しかし、特許文献１のエキスパンションジョイントでは、一方の建物の躯体と他方の建物の躯体との間隙を覆うカバー材の一側を一方の躯体の支持部材に支持させ、カバー材の他側を他方の躯体の支持部材に摺動自在に係合させる構造により、地震発生時の水平方向のずれを吸収できるが、そのずれ吸収のために支持部材に対し摺動する部材等を必要とし、その支持構造も複雑となっていた。
【０００７】
また、特許文献２の連結金物では、家屋本体と増築部の屋根との間の少なくとも近離方向の変動をスライドによって吸収するずれ吸収部により、地震発生時の屋根勾配に沿った方向のずれを吸収できるが、そのずれ吸収のために折返し部材と、その折返し部内へ挿入する部材を必要とし、構造も複雑となっていた。
【０００８】
なお、特許文献３の下屋の施工は地震発生時のずれ吸収対策ではないが、特許文献３の防水テープでは、壁と下屋の屋根との間に跨る雨押えの外側に重ねられる透湿性防水シートの下側縁部を雨押えの外面に接合する単なる接着テープのため、地震発生時の垂直方向のずれを吸収できずに破断してしまうことが考えられる。
【０００９】
本発明の課題は、壁から間隔を開けて構築される下屋と壁との間に設けられるエキスパンションジョイントにおいて、簡単な構造で地震発生時のずれを許容しながら、地震が止まった後はずれの吸収を可能にすることである。
【課題を解決するための手段】
【００１０】
以上の課題を解決するため、請求項１に記載の発明は、例えば図１（図２）、図３（図４）、図５、図７に示すように、
壁１０１（１０２）から間隔を開けて構築される下屋２００と壁１０１（１０２）との間に設けられるエキスパンションジョイントの構造であって、
前記壁１０１（１０２）の外側に固定される壁側雨押え２８１（３０１）と、
前記下屋２００の屋根２０３上に固定される下屋側雨押え２８５（３０５）と、を備え、
前記壁側雨押え２８１（３０１）と前記下屋側雨押え２８５（３０５）とが部分的に重ね合わされて、かつ伸縮自在な軟粘性テープ４１（４２）で接着されていることを特徴とする。
【００１１】
請求項１に記載の発明によれば、壁１０１（１０２）の外側に固定される壁側雨押え２８１（３０１）と、下屋２００の屋根上に固定される下屋側雨押え２８５（３０５）と、が部分的に重ね合わされて、かつ伸縮自在な軟粘性テープ４１（４２）で接着されているので、地震発生時において、壁側雨押え２８１（３０１）と下屋側雨押え２８５（３０５）の部分的に重ね合わされた部分が、接着された軟粘性テープ４１（４２）の伸縮を伴ってずれる。
すなわち、壁側雨押え２８１（３０１）と下屋側雨押え２８５（３０５）の部分的な重ね合わせ部と、その部分的な重ね合わせ部を接着する伸縮自在な軟粘性テープ４１（４２）との簡単な構造によって、地震発生時のずれを許容しながら、接着状態を維持することができ、地震が止まった後はずれを吸収することができる。
【００１２】
請求項２に記載の発明は、
請求項１に記載のエキスパンションジョイント構造において、例えば図１（図２）、図３（図４）、図５、図７に示すように、
前記壁側雨押え２８１（３０１）は、下方へ延びる垂下部２８４（３０４）を有し、
前記下屋側雨押え２８５（３０５）は、上方へ延びる立上がり部２８９（３０９）を有しており、
前記壁側雨押え２８１（３０１）の前記垂下部２８４（３０４）と前記下屋側雨押え２８５（３０５）の前記立上がり部２８９（３０９）とが重ね合わされて、かつ前記伸縮自在な軟粘性テープ４１（４２）で接着されていることを特徴とする。
【００１３】
請求項２に記載の発明によれば、壁側雨押え２８１（３０１）の下方へ延びる垂下部２８４（３０４）と、下屋側雨押え２８５（３０５）の上方へ延びる立上がり部２８９（３０９）と、が重ね合わされて、かつ伸縮自在な軟粘性テープで接着されているので、地震発生時において、壁側雨押え２８１（３０１）の垂下部２８４（３０４）と下屋側雨押え２８５（３０５）の立上がり部２８９（３０９）との重ね合わされた部分が、接着された軟粘性テープ４１（４２）の伸縮を伴ってずれる。
すなわち、壁側雨押え２８１（３０１）の垂下部２８４（３０４）と下屋側雨押え２８５（３０５）の立上がり部２８９（３０９）との重ね合わせ部と、その垂下部２８４（３０４）と立上がり部２８９（３０９）の重ね合わせ部を接着する伸縮自在な軟粘性テープ４１（４２）との簡単な構造によって、地震発生時のずれを許容しながら、接着状態を維持することができ、地震が止まった後はずれを吸収することができる。
また、強風雨時の重ね部分からの雨水浸入を止めることができる。
【００１４】
請求項３に記載の発明は、
請求項１又は２に記載のエキスパンションジョイント構造において、例えば図１（図２）、図３（図４）、図５、図７に示すように、
前記壁側雨押え２８１（３０１）の内側に前記下屋側雨押え２８５（３０５）が重ね合わされていることを特徴とする。
【００１５】
請求項３に記載の発明によれば、壁側雨押え２８１（３０１）の内側に下屋側雨押え２８５（３０５）が重ね合わされているので、地震発生時において、壁側雨押え２８１（３０１）とその内側に重ね合わされた下屋側雨押え２８５（３０５）とが、接着された軟粘性テープ４１（４２）の伸縮を伴ってずれる。
したがって、地震発生時のずれを許容しながら、接着状態を維持することができ、地震が止まった後はずれを吸収することができる。
【００１６】
請求項４に記載の発明は、
請求項３に記載のエキスパンションジョイント構造において、例えば図１（図２）、図３（図４）、図５、図７に示すように、
前記壁側雨押え２８１（３０１）及び前記下屋側雨押え２８５（３０５）の内側面に前記伸縮自在な軟粘性テープ４１（４２）が接着されていることを特徴とする。
【００１７】
請求項４に記載の発明によれば、壁側雨押え２８１（３０１）及び下屋側雨押え２８５（３０５）の内側面に伸縮自在な軟粘性テープ４１（４２）が接着されているので、地震発生時において、壁側雨押え２８１（３０１）とその内側に重ね合わされた下屋側雨押え２８５（３０５）とが、その内側に接着された軟粘性テープ４１（４２）の伸縮を伴ってずれる。
したがって、地震発生時のずれを許容しながら、接着状態を維持することができ、地震が止まった後はずれを吸収することができる。
【００１８】
請求項５に記載の発明は、
請求項２、請求項２を引用する請求項３、又は請求項４のいずれか一項に記載のエキスパンションジョイント構造において、例えば図１（図２）、図３（図４）、図５、図７に示すように、
前記壁側雨押え２８１（３０１）の前記垂下部２８４（３０４）の外側に、前記壁１０１（１０２）の外側に固定された外装材１０４に固定される上部水切り３３（３４）が配置されていることを特徴とする。
【００１９】
請求項５に記載の発明によれば、壁側雨押え２８１（３０１）の垂下部２８４（３０４）の外側に、壁１０１（１０２）の外側に固定された外装材１０４に固定される上部水切り３３（３４）が配置されているので、その上部水切り３３（３４）によって、壁側雨押え２８１（３０１）の上部への雨の進入を防ぐことができる。
【００２０】
請求項６に記載の発明は、
請求項２、請求項２を引用する請求項３から５のいずれか一項に記載のエキスパンションジョイント構造において、例えば図２、図４〜図６に示すように、
前記下屋側雨押え３０５は、前記下屋２００の屋根上に固定される下屋側固定部３０６を有し、
前記下屋側固定部３０６の端部上に端部かぶせ２９が固定されて、
前記端部かぶせ２９の上に、前記壁１０２の外側に固定された外装材１０４に固定される端部カバー３６が配置されていることを特徴とする。
【００２１】
請求項６に記載の発明によれば、下屋側雨押え３０５における下屋２００の屋根上に固定される下屋側固定部３０６の端部上に端部かぶせ２９が固定されて、その端部かぶせ２９の上に、壁１０２の外側に固定された外装材１０４に固定される端部カバー３６が配置されているので、地震発生時において、下屋側雨押え３０５の下屋側固定部３０６の端部上に固定された端部かぶせ２９と、その端部かぶせ２９の上に配置されて、壁１０２に固定された外装材１０４に固定された端部カバー３６とがずれる。
したがって、地震発生時のずれを許容することができる。
【発明の効果】
【００２２】
本発明によれば、壁から間隔を開けて構築される下屋と壁との間に設けられるエキスパンションジョイントにおいて、簡単な構造で地震発生時のずれを許容しながら、地震が止まった後はずれを吸収することができる。
【図面の簡単な説明】
【００２３】
【図１】本発明に係るエキスパンションジョイント構造を示す妻ケラバ壁取合縦断面図である。
【図２】本発明に係るエキスパンションジョイント構造を示す棟壁取合縦断面図である。
【図３】図１のエキスパンションジョイント構造を含む屋根周り施工部品を示す分解斜視図である。
【図４】図２のエキスパンションジョイント構造を含む屋根周り施工部品を示す分解斜視図である。
【図５】図３及び図４の屋根周り施工状態を示す斜視図で、端部カバー及び鼻隠し端部の取り付け方を示した図である。
【図６】図５の端部カバーの取り付け後を示した拡大斜視図である。
【図７】本発明に係るエキスパンションジョイント構造を適用する建物の入隅部を示した概略斜視図である。
【発明を実施するための形態】
【００２４】
以下、図面を参照して本発明の実施の形態について説明する。
図７は本発明に係るエキスパンションジョイント構造を適用する建物の入隅部を示したもので、１００は建物本体、２００は増築部で、図示のように、建物本体１００の入隅部に下屋２００が増築されている。
【００２５】
（実施形態）
図１は本発明に係るエキスパンションジョイント構造の妻ケラバ壁取合を示すもので、７は第一の軟粘性テープ、１０はルーフィング、１１はケラバ壁取合屋根耐水シート、１４はケラバ壁取合受桟（屋根調整材）、１８はケラバ壁取合捨て水切り、１９は屋根材、２０はケラバ壁取合不燃材、２３はケラバ壁取合中貫屋根下地材、２８はケラバ壁取合雨押え、３３はケラバ壁取合上部後付け水切り、４１は第四の軟粘性テープである。
【００２６】
図示のように、下屋２００は、ケラバ壁側において、建物本体１００の入隅部を形成する一方の壁パネル１０１から間隔（例えば５０ｍｍ程度）を開けて壁パネル２０１、屋根パネル２０３等が構築されている。
そして、下屋２００の屋根パネル２０３の面材２０４の上にルーフィング１０が敷設されて、屋根パネル２０３の面材２０４及び端部の屋根調整材２０５の上と建物本体１００の壁パネル１０１とにわたって、伸縮しても破断しない伸縮自在な第一の軟粘性テープ７が貼られ、その上にケラバ壁取合屋根耐水シート１１が敷き込まれている。
【００２７】
さらに、ルーフィング１０の上に屋根材１９が敷設され、屋根調整材２０５の上には、屋根材１９の上面と同じ厚みのケラバ壁取合受桟（屋根調整材）１４が釘２０７で固定されて、このケラバ壁取合受桟１４の上にケラバ壁取合捨て水切り１８が釘２０８で固定されている。
ケラバ壁取合捨て水切り１８は、ケラバ壁取合屋根耐水シート１１と屋根材１９との間の挿入部１８１と、ケラバ壁取合受桟１４の外側から屈曲して上方に伸びる立上がり部１８２を有している。
ケラバ壁取合捨て水切り１８の上には、ケラバ壁取合中貫屋根下地材２３が配置され、ケラバ壁取合中貫屋根下地材２３は、釘２０８でケラバ壁取合捨て水切り１８を貫通してケラバ壁取合受桟１４に固定されている。
【００２８】
また、建物本体１００の壁パネル１０１には、ケラバ壁取合屋根耐水シート１１に重ねてケラバ壁取合不燃材２０が釘（不図示）で固定されている。
そして、建物本体１００の壁パネル１０１と下屋２００の屋根とにわたって、本発明を適用した鋼板製エキスパンションジョイントによるケラバ壁取合雨押え２８が架け渡されている。
【００２９】
すなわち、ケラバ壁取合雨押え２８は、建物本体１００の壁パネル１０１に固定される壁側雨押え２８１と、下屋２００の屋根上に固定される下屋側雨押え２８５と、を備え、これら壁側雨押え２８１と下屋側雨押え２８５とが部分的に重ね合わされて、かつ伸縮自在な第四の軟粘性テープ４１で接着されている。
壁側雨押え２８１は、壁パネル１０１にビス１０６で固定された垂直な壁側固定部２８２の下部に水平部２８３を介して垂直な長い垂下部２８４を有している。
【００３０】
下屋側雨押え２８５は、ケラバ壁取合中貫屋根下地材２３の上に載せる水平な下屋側固定部２８６から垂直な短い垂下部２８７で、ケラバ壁取合中貫屋根下地材２３の端面に釘２０９で固定されている。
垂下部２８７から略水平な突出部２８８が形成されており、下屋側固定部２８６の他端からは垂直な立上がり部２８９が形成されている。
【００３１】
壁側雨押え２８１の垂下部２８４の内側に下屋側雨押え２８５の立上がり部２８９が重ね合わされた状態で、その重ね合わされた垂下部２８４及び立上がり部２８９の内側面にわたって、伸縮しても破断しない伸縮自在な第四の軟粘性テープ４１が接着されている。
こうして、壁側雨押え２８１及び下屋側雨押え２８５からなる鋼板製エキスパンションジョイントによるケラバ壁取合雨押え２８が、建物本体１００の壁パネル１０１と下屋２００の屋根とに架け渡されている。
【００３２】
そして、建物本体１００の壁パネル１０１には、ケラバ壁取合雨押え２８の上方に、胴縁ピース１０３を介して外装材１０４が張り付け固定されている。
さらに、外装材１０４の下端部には、ケラバ壁取合上部後付け水切り３３がビス１０５により取り付けられている。ケラバ壁取合上部後付け水切り３３から傾斜部を介して垂直に延びる下端部がケラバ壁取合雨押え２８の垂下部２８４の外側に離間して位置している。
【００３３】
図２は本発明に係るエキスパンションジョイント構造の棟壁取合を示すもので、８は第二の軟粘性テープ、１３は棟壁取合屋根耐水シート、２１は棟壁取合不燃材、２４は棟壁取合中貫屋根下地材、３０は棟壁取合雨押え、３４は棟壁取合上部後付け水切り、４２は第五の軟粘性テープである。
【００３４】
図示のように、下屋２００は、棟壁側においても、建物本体１００の入隅部を形成する他方の壁パネル１０２から間隔（例えば５０ｍｍ程度）を開けて壁パネル２０２、屋根パネル２０３等が構築されている。
そして、屋根パネル２０３の面材２０４及び端部の屋根調整材２１３・２１４の上と建物本体１００の壁パネル１０２とにわたって、伸縮しても破断しない伸縮自在な第二の軟粘性テープ８が貼られ、その上に棟壁取合屋根耐水シート１３が敷き込まれている。
なお、屋根材１９の端部上には、棟壁取合中貫屋根下地材２４が釘２１５で固定されている。
【００３５】
また、建物本体１００の壁パネル１０２には、棟壁取合屋根耐水シート１３に重ねて棟壁取合不燃材２１が釘（不図示）で固定されている。
そして、建物本体１００の壁パネル１０２と下屋２００の屋根とにわたって、本発明を適用した鋼板製エキスパンションジョイントによる棟壁取合雨押え３０が架け渡されている。
【００３６】
すなわち、棟壁取合雨押え３０は、建物本体１００の壁パネル１０２に固定される壁側雨押え３０１と、下屋２００の屋根上に固定される下屋側雨押え３０５と、を備え、これら壁側雨押え３０１と下屋側雨押え３０５とが部分的に重ね合わされて、かつ伸縮自在な第五の軟粘性テープ４２で接着されている。
壁側雨押え３０１は、壁パネル１０２にビス１０６で固定された垂直な壁側固定部３０２の下部に傾斜部３０３を介して垂直な長い垂下部３０４を有している。
【００３７】
下屋側雨押え３０５は、棟壁取合中貫屋根下地材２４の上に載せる傾斜した下屋側固定部３０６から垂直な短い垂下部３０７で、棟壁取合中貫屋根下地材２４の端面に釘２１６で固定されている。
垂下部３０７から傾斜部３０８が形成されており、下屋側固定部３０６の他端からは垂直な立上がり部３０９が形成されている。
【００３８】
壁側雨押え３０１の垂下部３０４の内側に下屋側雨押え３０５の立上がり部３０９が重ね合わされた状態で、その重ね合わされた垂下部３０４及び立上がり部３０９の内側面にわたって、伸縮しても破断しない伸縮自在な第五の軟粘性テープ４２が接着されている。
こうして、壁側雨押え３０１及び下屋側雨押え３０５からなる鋼板製エキスパンションジョイントによる棟壁取合雨押え３０が、建物本体１００の壁パネル１０２と下屋２００の屋根とに架け渡されている。
【００３９】
そして、建物本体１００の壁パネル１０２には、棟壁取合雨押え３０の上方に、胴縁ピース１０３を介して外装材１０４が張り付け固定されている。
さらに、外装材１０４の下端部には、棟壁取合上部後付け水切り３４がビス１０５により取り付けられている。棟壁取合上部後付け水切り３４から傾斜部を介して垂直に延びる下端部が棟壁取合雨押え３０の垂下部３０４の外側に離間して位置している。
【００４０】
図３は図１のエキスパンションジョイント構造を含む屋根周り施工部品を示すもので、図１の第一の軟粘性テープ７、ルーフィング１０、ケラバ壁取合屋根耐水シート１１、ケラバ壁取合受桟１４、ケラバ壁取合捨て水切り１８、屋根材１９、ケラバ壁取合不燃材２０、ケラバ壁取合中貫屋根下地材２３、ケラバ壁取合雨押え２８、ケラバ壁取合上部後付け水切り３３の他、１は屋根耐水シート、４は換気鼻隠し、５は軒先水切り、６はケラバ壁取合軒先水切り端部、９は屋根軒先用両面テープ、１４はケラバ壁受桟、２５はケラバ壁取合雨押え端部、３２はブチルテープ、３８は鼻隠し端部である。
【００４１】
図４は図２のエキスパンションジョイント構造を含む屋根周り施工部品を示すもので、図２の棟壁取合屋根耐水シート１３、棟壁取合不燃材２１、棟壁取合中貫屋根下地材２４、棟壁取合雨押え３０、棟壁取合後上部付け水切り３４の他、２は屋根耐水シート、３は破風、８は第二の軟粘性テープ、１５は唐草屋根調整材、１６は１／２屋根勾配止まりＡ、１７はケラバ水切り、２２は第三の軟粘性テープ、２４は棟壁取合中貫屋根下地材、２７は棟壁取合雨押え端部水切り、２９は雨押え端部かぶせ、３０は棟壁取合雨押え、３１は雨押えコーナー、３５は入隅後付け水切り、３６は後付け端部カバー、３７は１／２屋根勾配止まりＢである。
【００４２】
次に、施工手順を説明する。
【００４３】
「工程１．ケラバ壁取合屋根耐水シート１、ケラバ屋根耐水シート２」
先ず、工程１では、下屋２００の屋根パネル２０３において、図３に示すように、軒先の既存壁取合い部分に降り曲げ加工したケラバ壁取合屋根耐水シート１をステープル（不図示、以下同様につき省略）により止め付ける。
また、ケラバの木口に、図４に示すように、ケラバ屋根耐水シート２をステープルにより止め付ける。
【００４４】
「工程２．破風３、換気鼻隠し４、軒先水切り５」
次の工程２では、図４に示すように、下屋の屋根パネル２０３のケラバ側木口に破風３を取り付ける。
また、軒先部分の木口に、図３に示すように、換気鼻隠し４を取り付ける。この換気鼻隠し４に被せるように、軒先水切り５を取り付ける。
【００４５】
「工程３．ケラバ壁取合軒先水切り端部６、第一の軟粘性テープ７、第二の軟粘性テープ８」
次の工程３では、図３に示すように、ケラバ壁取合軒先水切り端部６を軒先水切り５に重ねて被せ、既存壁面（壁パネル１０１）にビス（不図示、以下同様につき省略）で固定する。
そして、図１及び図３に示すように、既存壁面（壁パネル１０１）と屋根パネル２０３の隙間を覆うようにして、第一の軟粘性テープ７を壁パネル１０１と屋根パネル２０３に貼り付ける。
また、図２及び図４に示すように、既存壁面（壁パネル１０２）と屋根パネル２０３の隙間を覆うようにして、第二の軟粘性テープ８を壁パネル１０２と屋根パネル２０３に貼り付ける。
【００４６】
「工程４．屋根軒先用両面テープ９、ルーフィング１０」
次の工程４では、図３に示すように、屋根軒先用両面テープ９を、軒先水切り５の折り曲げ位置より１０〜４０ｍｍ上がった位置に貼り付けた後、ルーフィング１０を貼り付ける。
【００４７】
「工程５．ケラバ壁取合屋根耐水シート１１、屋根耐水シート２折り返し、棟壁取合屋根耐水シート１３」
次の工程５では、図１から図４に示すように、ケラバ壁取合屋根耐水シート１１を軒先水切り５の折曲位置に合わせて第一の軟粘性テープ７の上に敷き込む。
また、ケラバ屋根耐水シート２を折り曲げて、貼り終えた前工程４でルーフィング１０にステープルで固定する。
そして、棟壁取合屋根耐水シート１３を第二の軟粘性テープ８の上に敷き込む。
【００４８】
「工程６．ケラバ壁取合受桟１４、唐草屋根調整材１５」
次の工程６では、図３に示すように、ケラバ壁取合受桟（屋根調整材）１４を軒先水切り５の折曲位置に合わせて取り付ける。
また、ケラバにおいて、図４に示すように、唐草屋根調整材１５を破風３の先端立上がりより７ｍｍひかえて取り付ける。
【００４９】
「工程７．１／２屋根勾配止まりＡ１６、ケラバ水切り１７」
次の工程７では、図４に示すように、１／２屋根勾配止まりＡ１６を破風３にかぶせ、その折曲ツバを既存壁面（壁パネル１０２）にビスで取り付ける。
また、ケラバ水切り１７を唐草屋根調整材１５にかぶせて、ルーフィング１０の上にビスで取り付ける。
【００５０】
「工程８．ケラバ壁取合捨て水切り１８、屋根材１９」
次の工程８では、図１及び図３に示すように、ケラバ壁取合捨て水切り１８をケラバ壁取合受桟（屋根調整材）１４に合わせて取り付ける。
また、図１から図４に示すように、屋根材１９を順次敷設する。
【００５１】
「工程９．ケラバ壁取合不燃材２０、棟壁取合不燃材２１、第三の軟粘性テープ２２」
次の工程９では、図１及び図３に示すように、ケラバ壁取合不燃材２０を既存壁面（壁パネル１０１）に釘で取り付ける。
また、図２及び図４に示すように、棟壁取合不燃材２１を既存壁面（壁パネル１０２）に釘で取り付けた後、伸縮しても破断しない伸縮自在な第三の軟粘性テープ２２をケラバ水切り１７と棟壁取合不燃材２１の端部に貼り付ける。
【００５２】
「工程１０．ケラバ壁取合中貫屋根下地材２３、棟壁取合中貫屋根下地材２４」
次の工程１０では、図１及び図３に示すように、ケラバ壁取合中貫屋根下地材２３を、軒先部はケラバ壁取合捨て水切り１８より１０ｍｍの位置からで、水平方向はケラバ壁取合捨て水切り１８の小口より４５ｍｍの位置で釘２０８により取り付ける。
また、図２及び図４に示すように、棟壁取合中貫屋根下地材２４を、ケラバ壁取合中貫屋根下地材２３とケラバ水切り１７との間に釘２１５で取り付ける。
【００５３】
「工程１１．ケラバ壁取合雨押え端部水切り２５、ケラバ水切り上部止水材２６、棟壁取合雨押え端部水切り２７」
次の工程１１では、図３に示すように、ケラバ壁取合雨押え端部水切り２５を、ケラバ壁取合中貫屋根下地材２３と平行で、軒先水切り５の先端に当たる位置でビスにより取り付ける。
また、図４に示すように、ケラバ水切り上部止水材２６を、予め棟壁取合雨押え端部水切り２７に合わせた位置でビスにより取り付ける。
そして、棟壁取合雨押え端部水切り２７を、ケラバ水切り１７の立上げ部に沿わせてビスにより取り付ける。
【００５４】
「工程１２．ケラバ壁取合雨押え２８」
次の工程１２では、図１及び図３に示すように、予め壁側雨押え２８１と下屋側雨押え２８５とが伸縮自在な第四の軟粘性テープ４１で接着されたケラバ壁取合雨押え２８を、軒先側はケラバ壁取合雨押え端部水切り２５に位置に合わせ、かぶせて取り付け、棟部は既存壁面（壁パネル１０２）から３０ｍｍ離れるように端部を現場加工して取り付ける。
【００５５】
「工程１３．雨押え端部かぶせ２９、棟壁取合雨押え３０」
次の工程１３では、図４に示すように、予め壁側雨押え３０１と下屋側雨押え３０５とが伸縮自在な第五の軟粘性テープ４２で接着された棟壁取合雨押え３０の右端部に雨押え端部かぶせ２９をかぶせて、その棟壁取合雨押え３０の下屋側雨押え３０５の右端部３０５Ｒを棟壁取合雨押え端部水切り２７にかぶせて取り付ける。
棟壁取合雨押え３０（下屋側雨押え３０５）の右端部３０５Ｒは、棟壁取合雨押え端部水切り２７にかぶせるための一段上がった形状に予め形成されている。
【００５６】
そして、雨押え端部かぶせ２９は、棟壁取合雨押え３０の下屋側雨押え３０５の上に重なる部分２９１に連続して棟壁取合雨押え端部水切り２７の上に重なる上面部２９２、前面部２９３及び外側面部２９４を有するとともに、棟壁取合雨押え３０の壁側雨押え３０１の前に重なる立上がり部２９５を有している。
また、棟壁取合雨押え３０の左端部は、現場加工してケラバ壁取合雨押え２８にかぶせて取り付ける。
【００５７】
「工程１４．雨押えコーナー３１、ブチルテープ３２」
次の工程１４では、図４に示すように、雨押えコーナー３１を、ケラバ壁取合雨押え２８と棟壁取合雨押え３０とのコーナー接続部に合わせて、捨てシーリング（図略）を打ってから、かぶせてビスにより取り付ける。
雨押えコーナー３１の後、雨押えコーナー３１及びケラバ壁取合雨押え２８の上端部に沿ってブチルテープ３２を貼り付けて、ケラバ壁取合雨押え２８の前端部に沿ってブチルテープ３２を貼り付ける。
また、雨押えコーナー３１及び棟壁取合雨押え３０の上端部に沿ってブチルテープ３２を貼り付けて、棟壁取合雨押え３０の右端部に沿ってブチルテープ３２を貼り付ける。
【００５８】
「工程１５．ケラバ壁取合上部後付け水切り３３、棟壁取合上部後付け水切り３４、入隅後付け水切り３５」
次の工程１５は、既存壁面（壁パネル１０１・１０２）に対する外装材１０４の張り付け終了後に行う。
工程１５では、図１及び図３に示すように、ケラバ壁取合上部後付け水切り３３を、外装材１０４の下端部にビス１０５により取り付ける。
なお、図１に示すように、外装材１０４のビス１０５部分の直上部にシーリング１０７を盛り付ける。
【００５９】
また、図４に示すように、棟壁取合上部後付け水切り３４を、外装材１０４の下端部にビス１０５により取り付ける。
棟壁取合上部後付け水切り３４は、外装材１０４の下端部に重なる部分３４１の下に外方への斜め下方延出部３４２を介して垂下部３４３を有している。
そして、入隅後付け水切り３５を、ケラバ壁取合上部後付け水切り３３と棟壁取合上部後付け水切り３４とのコーナー接続部に合わせて、かぶせて取り付ける。
なお、図２に示すように、外装材１０４のビス１０５部分の直上部にシーリング１０７を盛り付ける。
【００６０】
「工程１６．後付け端部カバー３６、１／２屋根勾配壁止まりＢ３７、鼻隠し端部３８」
最後の工程１６では、図４に示すように、エキスパンションジョイントカバーである後付け端部カバー３６を雨押え端部かぶせ２９及び棟壁取合上部後付け水切り３４にかぶせて、ビスにより取り付ける。
後付け端部カバー３６は、雨押え端部かぶせ２９の上面部２９２と外側面部２９４に各々重なる上面部３６２及び外側面部３６４と、その外側面部３６４の前面に沿った幅狭の折り曲げ部３６６と、上面部３６２及び外側面部３６４から連続する上面傾斜部３６７及び頭頂部３６８と、その頭頂部３６８及び外側面部３６４に沿った逆Ｌ字状のフランジ部３６９を有している。
このような形状の後付け端部カバー３６は、図５に示すように、雨押え端部かぶせ２９に対し前方から組み付けて、逆Ｌ字状のフランジ部３６９をビスにより外装材１０４に固定し、棟壁取合上部後付け水切り３４と後付け端部カバー３６の外周部にシーリング（図略）を充填する。
以上の後付け端部カバー３６の取り付け後の状態を、図６に拡大して示している。
【００６１】
また、図４及び図５に示すように、１／２屋根勾配壁止まりＢ３７をビスにより取り付ける。
そして、図５に示すように、鼻隠し端部３８を換気鼻隠し４にかぶせて、ビスにより取り付ける。
【００６２】
以上、実施形態のエキスパンションジョイント構造によれば、ケラバ壁取合雨押え２８が、壁パネル１０１の外側に固定される壁側雨押え２８１の下方へ延びる垂下部２８４と、下屋２００の屋根上に固定される下屋側雨押え２８５上方へ延びる立上がり部２８９と、が重ね合わされて、その重ね合わされた垂下部２８４と立上がり部２８９の内側に、伸縮しても破断しない伸縮自在な第四の軟粘性テープ４１で接着されている。
この構造により、地震発生時において、壁側雨押え２８１の垂下部２８４と下屋側雨押え２８５の立上がり部２８９の重ね合わされた部分が、その内側に接着された第四の軟粘性テープ４１の伸縮を伴って上下方向及び左右方向にずれる。
【００６３】
すなわち、壁側雨押え２８１の垂下部２８４と下屋側雨押え２８５の立上がり部２８９の重ね合わせ部と、その垂下部２８４と立上がり部２８９の重ね合わせ部を接着する伸縮自在な第四の軟粘性テープ４１との簡単な構造によって、地震発生時の上下方向及び左右方向のずれを第四の軟粘性テープ４１の伸縮挙動により許容しながら、その第四の軟粘性テープ４１により垂下部２８４と立上がり部２８９の重ね合わせ部の接着状態を維持することができる。
また、地震が止まった後は、第四の軟粘性テープ４１が元の状態に戻ることによって、地震発生時の垂下部２８４と立上がり部２８９の重ね合わせ部の上下方向及び左右方向のずれを吸収することができる。
また、強風雨時の重ね部分からの雨水浸入を止めることができる。
【００６４】
同様に、棟壁取合雨押え３０も、壁パネル１０２の外側に固定される壁側雨押え３０１の下方へ延びる垂下部３０４と、下屋２００の屋根上に固定される下屋側雨押え３０５上方へ延びる立上がり部３０９と、が重ね合わされて、その重ね合わされた垂下部３０４と立上がり部３０９の内側に、伸縮しても破断しない伸縮自在な第五の軟粘性テープ４２で接着されている。
この構造により、地震発生時において、壁側雨押え３０１の垂下部３０４と下屋側雨押え３０５の立上がり部３０９の重ね合わされた部分が、その内側に接着された第五の軟粘性テープ４２の伸縮を伴って上下方向及び左右方向にずれる。
【００６５】
すなわち、壁側雨押え３０１の垂下部３０４と下屋側雨押え３０５の立上がり部３０９の重ね合わせ部と、その垂下部３０４と立上がり部３０９の重ね合わせ部を接着する伸縮自在な第五の軟粘性テープ４２との簡単な構造によって、地震発生時の上下方向及び左右方向のずれを第五の軟粘性テープ４２の伸縮挙動により許容しながら、その第五の軟粘性テープ４２により垂下部３０４と立上がり部３０９の重ね合わせ部の接着状態を維持することができる。
また、地震が止まった後は、第五の軟粘性テープ４２が元の状態に戻ることによって、地震発生時の垂下部３０４と立上がり部３０９の重ね合わせ部の上下方向及び左右方向のずれを吸収することができる。
また、強風雨時の重ね部分からの雨水浸入を止めることができる。
【００６６】
そして、ケラバ壁取合雨押え２８が、その壁側雨押え２８１の垂下部２８４の外側に、壁パネル１０１の外側に固定された外装材１０４に固定されるケラバ壁取合上部後付け水切り３３が配置されているので、そのケラバ壁取合上部後付け水切り３３によって、壁側雨押え２８１の上部への雨の進入を防ぐことができる。
【００６７】
同様に、棟壁取合雨押え３０も、その壁側雨押え３０１の垂下部３０４の外側に、壁パネル１０２の外側に固定された外装材１０４に固定される棟壁取合上部後付け水切り３４が配置されているので、その棟壁取合上部後付け水切り３４によって、壁側雨押え３０１の上部への雨の進入を防ぐことができる。
【００６８】
さらに、棟壁取合雨押え３０において、その下屋側雨押え３０５における下屋２００の屋根上に固定される下屋側固定部３０６の端部上に雨押え端部かぶせ２９が固定されて、その雨押え端部かぶせ２９の上に、壁パネル１０２の外側に固定された外装材１０４に固定される後付け端部カバー３６が配置されている。
この構造により、地震発生時において、下屋側雨押え３０５の下屋側固定部３０６の端部上に固定された雨押え端部かぶせ２９と、その雨押え端部かぶせ２９の上に配置されて、壁パネル１０２に固定された外装材１０４に固定された後付け端部カバー３６が上下方向及び左右方向にずれる。
したがって、地震発生時の雨押え端部かぶせ２９と後付け端部カバー３６の上下方向及び左右方向のずれを許容することができる。
【００６９】
（変形例）
以上の実施形態においては、パネル工法による建物としたが、本発明はこれに限定されるものではなく、軸組み工法による建物であってもよい。
また、実施形態では、建物本体の入隅部に増築される下屋としたが、単に建物本体の壁に増築される下屋であればよい。
さらに、建物本体の壁と下屋の壁との間隔や、屋根勾配、雨押えの形状等も任意であり、その他、具体的な細部構造等についても適宜に変更可能であることは勿論である。
【符号の説明】
【００７０】
１０  ルーフィング
１９  屋根材
２０  ケラバ壁取合不燃材
２１  棟壁取合不燃材
２３  ケラバ壁取合中貫屋根下地材
２４  棟壁取合中貫屋根下地材
２８  ケラバ壁取合雨押え
２８１  壁側雨押え
２８２  壁側固定部
２８３  水平部
２８４  垂下部
２８５  下屋側雨押え
２８６  下屋側固定部
２８７  垂下部
２８８  突出部
２８９  立上がり部
２９  雨押え端部かぶせ
２９１  雨押え上に重なる部分
２９２  上面部
２９３  前面部
２９４  外側面部
２９５  立上がり部
３０  棟壁取合雨押え
３０１  壁側雨押え
３０２  壁側固定部
３０３  傾斜部
３０４  垂下部
３０５  下屋側雨押え
３０５Ｒ  右端部
３０６  下屋側固定部
３０７  垂下部
３０８  突出部
３０９  立上がり部
３１  雨押えコーナー
３３  ケラバ壁取合上部後付け水切り
３４  棟壁取合上部後付け水切り
３４１  外装材下端部に重なる部分
３４２  斜め下方延出部
３４３  垂下部
３５  入隅後付け水切り
３６  後付け端部カバー
３６２  上面部
３６４  外側面部
３６６  折曲片
３６７  上面傾斜部
３６８  頭頂部
３６９  フランジ部
４１  軟粘性テープ
４２  軟粘性テープ
１００  建物本体
１０１  壁
１０２  壁
１０４  外装材
２００  下屋
２０１  壁
２０２  壁
２０３  屋根
【図１】
2020094369.tif 000003
【図２】
2020094369.tif 000004
【図３】
2020094369.tif 000005
【図４】
2020094369.tif 000006
【図５】
2020094369.tif 000007
【図６】
2020094369.tif 000008
【図７】
2020094369.tif 000009
【手続補正書】
【提出日】令和1年8月23日(2019.8.23)
【手続補正１】
【補正対象書類名】明細書
【補正対象項目名】００１０
【補正方法】変更
【補正の内容】
【００１０】
以上の課題を解決するため、請求項１に記載の発明は、例えば図１（図２）、図３（図４）、図５、図７に示すように、
壁１０１（１０２）から間隔を開けて構築される下屋２００と壁１０１（１０２）との間に設けられるエキスパンションジョイントの構造であって、
前記壁１０１（１０２）の外側に固定される壁側雨押え２８１（３０１）と、
前記下屋２００の屋根２０３上に固定される下屋側雨押え２８５（３０５）と、を備え、
前記壁側雨押え２８１（３０１）と前記下屋側雨押え２８５（３０５）とが部分的に重ね合わされて、かつ伸縮自在な軟粘性テープ４１（４２）で接着されており、
前記壁側雨押え２８１（３０１）の内側に前記下屋側雨押え２８５（３０５）が重ね合わされて、
前記壁側雨押え２８１（３０１）及び前記下屋側雨押え２８５（３０５）の内側面に前記伸縮自在な軟粘性テープ４１（４２）が接着されていることを特徴とする。
【手続補正２】
【補正対象書類名】明細書
【補正対象項目名】００１１
【補正方法】変更
【補正の内容】
【００１１】
請求項１に記載の発明によれば、壁１０１（１０２）の外側に固定される壁側雨押え２８１（３０１）と、下屋２００の屋根上に固定される下屋側雨押え２８５（３０５）と、が部分的に重ね合わされて、かつ伸縮自在な軟粘性テープ４１（４２）で接着されているので、地震発生時において、壁側雨押え２８１（３０１）と下屋側雨押え２８５（３０５）の部分的に重ね合わされた部分が、接着された軟粘性テープ４１（４２）の伸縮を伴ってずれる。
すなわち、壁側雨押え２８１（３０１）と下屋側雨押え２８５（３０５）の部分的な重ね合わせ部と、その部分的な重ね合わせ部を接着する伸縮自在な軟粘性テープ４１（４２）との簡単な構造によって、地震発生時のずれを許容しながら、接着状態を維持することができ、地震が止まった後はずれを吸収することができる。
そして、壁側雨押え２８１（３０１）の内側に下屋側雨押え２８５（３０５）が重ね合わされているので、地震発生時において、壁側雨押え２８１（３０１）とその内側に重ね合わされた下屋側雨押え２８５（３０５）とが、接着された軟粘性テープ４１（４２）の伸縮を伴ってずれる。
したがって、地震発生時のずれを許容しながら、接着状態を維持することができ、地震が止まった後はずれを吸収することができる。
さらに、壁側雨押え２８１（３０１）及び下屋側雨押え２８５（３０５）の内側面に伸縮自在な軟粘性テープ４１（４２）が接着されているので、地震発生時において、壁側雨押え２８１（３０１）とその内側に重ね合わされた下屋側雨押え２８５（３０５）とが、その内側に接着された軟粘性テープ４１（４２）の伸縮を伴ってずれる。
したがって、地震発生時のずれを許容しながら、接着状態を維持することができ、地震が止まった後はずれを吸収することができる。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
請求項３に記載の発明は、
請求項２に記載のエキスパンションジョイント構造において、例えば図１（図２）、図３（図４）、図５、図７に示すように、
前記壁側雨押え２８１（３０１）の前記垂下部２８４（３０４）の外側に、前記壁１０１（１０２）の外側に固定された外装材１０４に固定される上部水切り３３（３４）が配置されていることを特徴とする。
【手続補正８】
【補正対象書類名】明細書
【補正対象項目名】００１９
【補正方法】変更
【補正の内容】
【００１９】
請求項３に記載の発明によれば、壁側雨押え２８１（３０１）の垂下部２８４（３０４）の外側に、壁１０１（１０２）の外側に固定された外装材１０４に固定される上部水切り３３（３４）が配置されているので、その上部水切り３３（３４）によって、壁側雨押え２８１（３０１）の上部への雨の進入を防ぐことができる。
【手続補正９】
【補正対象書類名】明細書
【補正対象項目名】００２０
【補正方法】変更
【補正の内容】
【００２０】
請求項４に記載の発明は、
請求項２又は３に記載のエキスパンションジョイント構造において、例えば図２、図４〜図６に示すように、
前記下屋側雨押え３０５は、前記下屋２００の屋根上に固定される下屋側固定部３０６を有し、
前記下屋側固定部３０６の端部上に端部かぶせ２９が固定されて、
前記端部かぶせ２９の上に、前記壁１０２の外側に固定された外装材１０４に固定される端部カバー３６が配置されていることを特徴とする。
【手続補正１０】
【補正対象書類名】明細書
【補正対象項目名】００２１
【補正方法】変更
【補正の内容】
【００２１】
請求項４に記載の発明によれば、下屋側雨押え３０５における下屋２００の屋根上に固定される下屋側固定部３０６の端部上に端部かぶせ２９が固定されて、その端部かぶせ２９の上に、壁１０２の外側に固定された外装材１０４に固定される端部カバー３６が配置されているので、地震発生時において、下屋側雨押え３０５の下屋側固定部３０６の端部上に固定された端部かぶせ２９と、その端部かぶせ２９の上に配置されて、壁１０２に固定された外装材１０４に固定された端部カバー３６とがずれる。
したがって、地震発生時のずれを許容することができる。
【手続補正１１】
【補正対象書類名】特許請求の範囲
【補正対象項目名】全文
【補正方法】変更
【補正の内容】
【特許請求の範囲】
【請求項１】
壁から間隔を開けて構築される下屋と壁との間に設けられるエキスパンションジョイントの構造であって、
前記壁の外側に固定される壁側雨押えと、
前記下屋の屋根上に固定される下屋側雨押えと、を備え、
前記壁側雨押えと前記下屋側雨押えとが部分的に重ね合わされて、かつ伸縮自在な軟粘性テープで接着されており、
前記壁側雨押えの内側に前記下屋側雨押えが重ね合わされて、
前記壁側雨押え及び前記下屋側雨押えの内側面に前記伸縮自在な軟粘性テープが接着されていることを特徴とするエキスパンションジョイント構造。
【請求項２】
請求項１に記載のエキスパンションジョイント構造において、
前記壁側雨押えは、下方へ延びる垂下部を有し、
前記下屋側雨押えは、上方へ延びる立上がり部を有しており、
前記壁側雨押えの前記垂下部と前記下屋側雨押えの前記立上がり部とが重ね合わされて、かつ前記伸縮自在な軟粘性テープで接着されていることを特徴とするエキスパンションジョイント構造。
【請求項３】
請求項２に記載のエキスパンションジョイント構造において、
前記壁側雨押えの前記垂下部の外側に、前記壁の外側に固定された外装材に固定される上部水切りが配置されていることを特徴とするエキスパンションジョイント構造。
【請求項４】
請求項２又は３に記載のエキスパンションジョイント構造において、
前記下屋側雨押えは、前記下屋の屋根上に固定される下屋側固定部を有し、
前記下屋側固定部の端部上に端部かぶせが固定されて、
前記端部かぶせの上に、前記壁の外側に固定された外装材に固定される端部カバーが配置されていることを特徴とするエキスパンションジョイント構造。